(57)【要約】【課題】半導体等の発熱体を飛散限界の問題を招来することなしに効率的に冷却することのできる簡易な構成の一体型のサーモサイフォン冷却装置を提供する。【解決手段】  上下に連通して内部に冷媒を通流する複数の細孔を備えた板状の細孔管プレートを発熱体からの熱を受熱する蒸発器とし、上下に連通して前記冷媒を通流する複数の細孔を有する複数の細孔偏平板を放熱フィンを挟んで積層して前記冷媒の熱を外部に放出する放熱器とする。そして前記蒸発器の上方に位置付けて該蒸発器の上端部に前記放熱器の下端部を連結すると共に、前記放熱器の上端部と前記蒸発器の下端部との間に連結管を設けて前記放熱器の上端部から送り出された前記冷媒を前記蒸発器の下端部に導くようにする。【選択図】      図１
2017112189.tif 000002
【特許請求の範囲】
【請求項１】
内部に冷媒を通流させて発熱体からの熱を受熱する蒸発器と、
下端部を前記蒸発器の上端部に連結して該蒸発器の上方に位置付けられ、内部に前記冷媒を通流させて該冷媒の熱を放出する放熱器と、
この放熱器の上端部と前記蒸発器の下端部とを連結して設けられて前記放熱器の上端部から送り出された前記冷媒を前記蒸発器の下端部に導く連結管と
を具備したことを特徴とするサーモサイフォン冷却装置。
【請求項２】
前記蒸発器は、上下に連通して内部に前記冷媒を通流する複数の細孔を備えた板状の細孔管プレートと、この細孔管プレートの下端部に設けられて前記連結管から供給される前記冷媒を前記複数の細孔にそれぞれ導く下部ヘッダーとを備えたものである請求項１に記載のサーモサイフォン冷却装置。
【請求項３】
前記細孔管プレートは、板状の主面を前記発熱体の装着面としたものである請求項２に記載のサーモサイフォン冷却装置。
【請求項４】
前記下部ヘッダーは、前記細孔管プレートにおける前記複数の細孔の並び方向に沿って設けられたヘッダー管からなる請求項２に記載のサーモサイフォン冷却装置。
【請求項５】
前記放熱器は、上下に連通して前記冷媒を通流する複数の細孔を備え、放熱フィンを挟んで積層して設けられて前記複数の細孔をそれぞれ通流する冷媒の熱を前記放熱フィンを介して外部に放出する複数の細孔偏平板と、これらの複数の細孔偏平板の上端部を連結して設けられて前記複数の細孔からそれぞれ流出する冷媒をまとめて前記連結管に導く上部ヘッダーとを備えたものである請求項１に記載のサーモサイフォン冷却装置。
【請求項６】
前記上部ヘッダーは、前記複数の細孔偏平板の積層方向に沿って設けられて前記複数の細孔偏平板の各細孔に連結されたヘッダー管からなる請求項５に記載のサーモサイフォン冷却装置。
【請求項７】
前記蒸発器の上端部と前記放熱器の下端部との連結は、前記冷媒を通流して前記蒸発器と前記放熱器との間で前記冷媒の受け渡しをする連結ヘッダー管を介して行われる請求項１に記載のサーモサイフォン冷却装置。
【請求項８】
前記蒸発器は、上下に連通して内部に前記冷媒を通流する複数の細孔を備えた板状の細孔管プレートを備え、
前記放熱器は、上下に連通して前記冷媒を通流する複数の細孔を備え、放熱フィンを挟んで積層して設けられた複数の細孔偏平板を備えたものであって、
前記蒸発器と前記放熱器とは、前記板状の細孔管プレートによって形成された前記蒸発器の主面と前記複数の細孔偏平板の積層方向に形成される前記放熱器の主面とを鉛直方向に揃えて連結されるものである請求項１に記載のサーモサイフォン冷却装置。
【請求項９】
前記連結管は、上下に連通して内部に前記冷媒を通流する複数の細孔を備えた板状の細孔管プレートを備えた前記蒸発器の側部、並びに上下に連通して前記冷媒を通流する複数の細孔を備え、放熱フィンを挟んで積層して設けられた複数の細孔偏平板を備えた前記放熱器の側部に沿って鉛直に設けられる請求項１に記載のサーモサイフォン冷却装置。
【発明の詳細な説明】
【技術分野】
【０００１】
本発明は、例えば半導体等の発熱体を冷却するに好適な一体型のサーモサイフォン冷却装置に関する。
【背景技術】
【０００２】
半導体等の発熱体を冷却する装置として、例えば図３(ａ)(ｂ)に示すように冷媒を通流させて前記発熱体からの熱を受熱する蒸発器１と、前記冷媒の熱を放出する凝縮器２と、この凝縮器２と前記蒸発器１とをループ状に連結して該凝縮器２と前記蒸発器１との間で前記冷媒を循環させる高温側および低温側の冷媒配管３,４とを備えたループ型のサーモサイフォン冷却装置１００が知られている。尚、図３(ａ)は前記サーモサイフォン冷却装置１００を前面側から見たときの概略構成を示しており、図３(ｂ)は前記サーモサイフォン冷却装置１００を側面側から見たときの概略構成を示している。ちなみにループ型のサーモサイフォン冷却装置１００に封入される前記冷媒としては、例えば水やフロン類、二酸化炭素等が用いられる。
【０００３】
前記蒸発器１は、概略的には、例えば上下方向に連通して内部に冷媒を通流する複数の細孔１１を備えた板状の細孔管プレート１０を備える。この細孔管プレート１０の主面（板面）に発熱体５が装着される。更に前記蒸発器１は、前記細孔管プレート１０の下端部に設けられて前記低温側の冷媒配管４から供給された冷媒を前記各細孔１１にそれぞれ導く下部ヘッダー（入口ヘッダー）１２と、前記細孔管プレート１０の上端部に設けられて前記各細孔１１から流出する冷媒をまとめて前記高温側の冷媒配管３に導く出口ヘッダー１３とを備える。
【０００４】
ちなみに前記細孔管プレート１０は、例えば図４に示すように偏平な矩形状の流路断面をなす内部空間を形成した板状の管体１０ａを主体として構成される。また前記管体１０ａにおける偏平な内部空間は、その幅方向に亘って複数枚のフィン１０ｂにて平行に区画されている。これらの複数枚のフィン１０ｂにより前記板状の細孔管プレート１０の上下方向に連通する前記複数の細孔１１が該細孔管プレート１０の幅方向に亘って並べて形成されている。尚、前記管体１０ａおよび前記フィン１０ｂは、例えば熱伝導率の高いアルミニウム（Ａl）製のものからなる。
【０００５】
このような構造の前記細孔管プレート１０を備えた前記蒸発器１は、前記細孔管プレート１０の主面に取り付けられた発熱体５からの熱を受熱し、前記各細孔１１をそれぞれ通流する冷媒に伝熱することで熱交換を実行する。この熱交換により、例えば前記下部ヘッダー（入口ヘッダー）１２から供給された液状の冷媒が蒸気化され、その比重が軽くなって前記細孔１１内を上昇する。そして冷媒（蒸気）が前記出口ヘッダー１３から前記高温側の冷媒配管３を介して前記凝縮器２に送り出される。
【０００６】
また前記凝縮器２は、概略的には、例えば図５に示すように上下方向に連通して内部に冷媒を通流する複数の細孔２１をそれぞれ備えた複数枚の細孔偏平板２０を備える。これらの複数枚の細孔偏平板２０は、それぞれ放熱フィン２２を介して一方向に積層されて前記細孔２１に導かれた前記冷媒の熱を外部に放出する放熱部を形成する。尚、前記放熱フィン２２は、例えば熱伝導率の高いアルミニウム（Ａl）製の板をツヅラ折りにした、いわゆるコルゲートフィンからなる。また前記複数枚の細孔偏平板２０もまた、例えば熱伝導率の高いアルミニウム（Ａl）製のものからなる。
【０００７】
そして前記凝縮器２は、前記各細孔偏平板２０の上側開口端部に設けられて前記高温側の冷媒配管３から供給された冷媒を前記各細孔２１にそれぞれ導く上部ヘッダー２３と、前記各細孔偏平板２０の下端部に設けられて前記各細孔２１から流出する冷媒をまとめて前記低温側の冷媒配管４に導く下部ヘッダー（出口ヘッダー）２４とを備える。
【０００８】
このように構成された前記凝縮器２は、前記蒸発器１において蒸気化されて前記高温側の冷媒配管３を介して供給された冷媒を前記上部ヘッダー２３から前記複数枚の細孔偏平板２０における各細孔２１にそれぞれ供給する。すると前記各細孔２１に導かれた冷媒の熱が前記細孔偏平板２０および前記放熱フィン２２を介して外部に放熱される。この結果、前記各細孔２１に導かれた冷媒が除熱されて液状化して前記下部ヘッダー（出口ヘッダー）２４に導かれる。そして液状化により比重が重くなった前記冷媒は、前記下部ヘッダー（出口ヘッダー）２４から前記低温側の冷媒配管４を介して前記蒸発器１に送り出される。
【０００９】
上述した如く構成されるループ型のサーモサイフォン冷却装置は、前記蒸発器１における前記発熱体５と前記冷媒との間での熱交換作用、並びに前記凝縮器２における前記冷媒と大気との間での熱交換作用に伴う前記冷媒の比重の変化を利用し、前記蒸発器１と前記凝縮器２との間で前記冷媒を循環させることで前記発熱体５を冷却する役割を担う。
【００１０】
ところで前記発熱体５を効率的に冷却するには、前記蒸発器１および前記凝縮器２における熱交換効率を高くすることが重要である。このような目的を解決する手段として、例えば特許文献１には複数の細管の径Ｄと、複数の細管の配列間隔Ｓとを、前記複数の細管を並べて形成される平板状の面状部での熱伝達率に応じて所定の計算式の下で決定することが紹介される。
【００１１】
また特許文献２には、前記蒸発器１と前記凝縮器２とを第１のタンク部材を介して一体に設けると共に、前記凝縮器２の他端側に第２のタンク部材を設け、これらの第１および第２のタンク部材間を冷媒管を介して連結することが開示される。この特許文献２に開示されるサーモサイフォン冷却装置は、前記蒸発器１から前記第１のタンク部材を介して前記凝縮器２に導かれた冷媒を前記第１および第２のタンク部材、並びに前記冷媒管を介して還流させることで前記冷媒を除熱する。
【先行技術文献】
【特許文献】
【００１２】
【特許文献１】特開２００３−２７９２７４号公報
【特許文献２】特開２００２−２４６７８２号公報
【発明の概要】
【発明が解決しようとする課題】
【００１３】
ところで特許文献２に開示される構成のサーモサイフォン冷却装置は、前記蒸発器１と前記凝縮器２とを一体化し、該サーモサイフォン冷却装置を傾けた状態でも使用できるようにしたものである。しかし上記構成のサーモサイフォン冷却装置においては、前記蒸発器１において沸騰して蒸気化した冷媒と、前記凝縮器２にて除熱して液化させた冷媒とが前記第１のタンク部材内において対向流としてぶつかり合うことが否めない。この為、サーモサイフォン冷却装置を発熱量の大きい、例えばＩＧＢＴ等のパワー半導体素子の冷却に用いた場合、前記蒸発器１からの冷媒の大量の上昇蒸気流によって前記凝縮器２からの冷媒の下降液流が吹き上げられる。すると前記冷媒の上昇蒸気流による下降液流の吹き上げによって、いわゆる飛散限界が生じて該サーモサイフォン冷却装置での冷却熱量が大きく制限されると言う問題がある。
【００１４】
本発明はこのような事情を考慮してなされたもので、その目的は、発熱量の大きい半導体等の発熱体を上述した飛散限界の問題を招来することなしに効率的に冷却することのできる簡易な構成の一体型のサーモサイフォン冷却装置を提供することにある。
【課題を解決するための手段】
【００１５】
上述した目的を達成するべく本発明に係るサーモサイフォン冷却装置は、
内部に冷媒を通流させて発熱体からの熱を受熱する蒸発器と、下端部を前記蒸発器の上端部に連結して該蒸発器の上方に位置付けられ、内部に前記冷媒を通流させて該冷媒の熱を放出する放熱器と、この放熱器の上端部と前記蒸発器の下端部とを連結して設けられて前記放熱器の上端部から送り出された前記冷媒を前記蒸発器の下端部に導く連結管とを具備したことを特徴とする。
【００１６】
ちなみに前記蒸発器は、例えば上下に連通して内部に前記冷媒を通流する複数の細孔を備えた板状の細孔管プレートと、この細孔管プレートの下端部に設けられて前記連結管から供給される前記冷媒を前記複数の細孔にそれぞれ導く下部ヘッダーとを備えて構成される。尚、前記細孔管プレートは、板状の主面を前記発熱体の装着面としたものである。また前記下部ヘッダーは、前記細孔管プレートにおける前記複数の細孔の並び方向に沿って設けられたヘッダー管からなる。
【００１７】
また前記放熱器は、例えば上下に連通して前記冷媒を通流する複数の細孔を備え、放熱フィンを挟んで積層して設けられて前記複数の細孔をそれぞれ通流する冷媒の熱を前記放熱フィンを介して外部に放出する複数の細孔偏平板と、これらの複数の細孔偏平板の上端部を連結して設けられて前記複数の細孔からそれぞれ流出する冷媒をまとめて前記連結管に導く上部ヘッダーとを備えて構成される。尚、前記上部ヘッダーは、前記複数の細孔偏平板の積層方向に沿って設けられて前記複数の細孔偏平板の各細孔に連結されたヘッダー管からなる。
【００１８】
ちなみに前記蒸発器の上端部と前記放熱器の下端部との連結は、前記冷媒を通流して前記蒸発器と前記放熱器との間で前記冷媒の受け渡しをする連結ヘッダー管を介して行われる。また前記蒸発器と前記放熱器とを、前記板状の細孔管プレートによって形成された前記蒸発器の主面と前記複数の細孔偏平板の積層方向に形成される前記放熱器の主面とを鉛直方向に揃えて連結することが好ましい。更に前記連結管については、前記蒸発器の側部、並びに前記放熱器の側部に沿って鉛直に設けることが好ましい。
【発明の効果】
【００１９】
上記構成のサーモサイフォン冷却装置によれば、前記蒸発器において該蒸発器に装着された発熱体からの熱を受熱した冷媒は沸騰する。そして蒸気泡となった冷媒はその浮力により上昇して前記連結管を介して前記放熱器に導かれる。すると前記冷媒は前記放熱器において除熱されて凝縮し液化する。このような冷媒を介する前記蒸発器と前記放熱器との間での伝熱作用により前記発熱体の冷却が行われる。
【００２０】
ここで前記発熱体からの発熱量が小さい場合、前記放熱器において凝縮して液化した冷媒は重力によって該放熱器および前記蒸発器の管路壁面に沿って下降し、前記蒸発器に戻される。そして前記冷媒は前記蒸発器において再び沸騰し、蒸気泡となって上昇して前記放熱器に送り出される。このようにして前記蒸発器による沸騰と前記放熱器による凝縮とを繰り返す前記冷媒により前記蒸発器と前記放熱器との間で前記冷媒の循環サイクルが形成され、前記冷媒を介して前記発熱体の冷却が行われる。
【００２１】
これに対して前記発熱体からの発熱量が大きくなって前述した飛散限界に達すると、前記放熱器において凝縮して液化した冷媒が蒸気泡となって上昇する冷媒により吹き戻される。すると前記放熱器において凝縮して液化した冷媒は、該放熱器の上部ヘッダーに送り出され、前記連結管を介して前記下部ヘッダーを介して前記蒸発器に戻される。この結果、前記連結管を介して前記蒸発器と前記放熱器との間で前記冷媒の循環サイクルが形成され、前記冷媒を介して前記発熱体の冷却が行われる。
【００２２】
従って上記構成のサーモサイフォン冷却装置によれば、前記冷媒の相変化と前記発熱体からの発熱量の大きさに応じて変化する冷媒の循環サイクルにより、前述した飛散限界に係ることなしに前記発熱体の冷却を効率的に実行することが可能となる。特に前記蒸発器と前記放熱器との間での熱の移動は前記冷媒の相変化による潜熱輸送である。従って前記冷媒の沸騰と凝縮による前記冷媒の高い熱伝達特性を利用して高発熱密度の熱移動を低い温度差で効率的に行うことができる等の実用上多大なる効果が奏せられる。
【図面の簡単な説明】
【００２３】
【図１】本発明の一実施形態に係るサーモサイフォン冷却装置の概略構成を示す図。
【図２】蒸気化されて細孔内を上昇する冷媒と、液状化して前記細孔内を下降する冷媒の様子を模式的に示す図。
【図３】従来のループ型のサーモサイフォン冷却装置の概略構成を示す図。
【図４】蒸発器を構成する細孔管プレートの概略構成を示す図。
【図５】凝縮器を構成する細孔偏平板と放熱フィンの積層構造を示す図。
【発明を実施するための形態】
【００２４】
以下、図面を参照して本発明に係るサーモサイフォン冷却装置の実施形態について説明する。
【００２５】
図１は本発明の一実施形態に係るサーモサイフォン冷却装置２００の概略構成図である。ここで図１(ａ)は前記サーモサイフォン冷却装置２００を前面側から見たときの概略構成を示しており、また図１(ｂ)は前記サーモサイフォン冷却装置２００を側面側から見たときの概略構成を示している。尚、図３に示した従来のサーモサイフォン冷却装置１００と同一部分には同一符号を付し、その詳細な説明については省略する。
【００２６】
この実施形態に係るサーモサイフォン冷却装置２００は、概略的には内部に冷媒を通流させて発熱体５からの熱を受熱する蒸発器１と、内部に前記冷媒を通流させて該冷媒の熱を放出する凝縮器（放熱器）２とを備える。この凝縮器２は、前記蒸発器１の上方に位置付けられ、連結ヘッダー３０を介して前記蒸発器１に一体的に連結して設けられる。前記連結ヘッダー３０は、前記凝縮器２の下端部と前記蒸発器１の上端部との間で前記冷媒を通流する役割を担う。具体的には前記連結ヘッダー３０は、前記蒸発器１の上端部に設けられる前述した出口ヘッダー１３、並びに前記凝縮器２の下端部に設けられる前述した出口ヘッダー２４の機能を兼ねて一体化したもので、前記蒸発器１と前記凝縮器２との間で前記冷媒を受け渡しする役割を担う。
【００２７】
また前記凝縮器２の主体部を構成する複数枚の細孔偏平板２０の上端部に設けられた上部ヘッダー２３と、前記蒸発器１の主体部を構成する細孔管プレート１０の下端部に設けられた下部ヘッダー１２との間には、前記蒸発器１および前記凝縮器２の側部に位置して連結管４０が設けられている。この連結管４０は前記上部ヘッダー２３と前記下部ヘッダー１２とを相互に連結することで前記蒸発器１の下端部と前記凝縮器２の上端部との間に前記冷媒の流路を形成したものである。
【００２８】
ちなみに前記連結管４０は、前述した前記細孔管プレート１０や前記細孔偏平板２０と同様に熱伝導率の高いアルミニウム（Ａl）製のものからなる。この連結管４０は、前記凝縮器２にて液相化して比重が重くなった冷媒を前記蒸発器１に戻す役割を担う。即ち、前記凝縮器２は、前記蒸発器１において前記発熱体５からの熱を受けて蒸気化して該蒸発器１から導かれる前記冷媒を除熱する。前記連結管４０は、このようにして前記凝縮器２にて除熱されて液相化した前記冷媒を前記蒸発器１に導くことで、前記蒸発器１および前記凝縮器２を介する前記冷媒の循環ループを形成する。
【００２９】
尚、前記蒸発器１の主体部を構成する前記細孔管プレート１０がなす平板状の主面と、前記凝縮器２の主体部を構成する複数枚の細孔偏平板２０がその積層方向に形成した主面とは、その面位置を揃えて上下方向に並べて設けられている。そして前記細孔管プレート１０の側部と前記複数枚の細孔偏平板２０の積層端部とに沿って前記連結管４０がそれぞれ設けられ、前記蒸発器１および前記凝縮器２が一体化されている。
【００３０】
従って前記サーモサイフォン冷却装置２００は、前記蒸発器１の主面と前記凝縮器２の主面とが連なる平面状の面を該サーモサイフォン冷却装置２００の表裏面とする、外観的には略板状ブロック体の形状をなす一体化部品（モジュール）として実現される。
【００３１】
次に上述した如く構成されたサーモサイフォン冷却装置２００による前記発熱体５の冷却作用について説明する。
【００３２】
前記発熱体５は、熱伝導性の高いグリース等を介して前記蒸発器１の主体部を構成する前記細孔管プレート１０がなす平板状の主面に装着される。例えばＩＧＢＴ等の半導体からなる発熱体５が、例えば電力変換動作時の損失に起因して発熱すると、その熱は前記細孔管プレート１０を介して該細孔管プレート１０に封入された冷媒に伝熱される。前記発熱体５から伝わった熱により前記細孔管プレート１０内の冷媒が沸騰して蒸気化し、前記冷媒の液から蒸気への相変化伝熱が行われる。そして蒸気化した冷媒は、浮力によって前記細孔管プレート１０の細孔１１内を上昇し、前記連結ヘッダー３０を介して前記凝縮器２の前記細孔偏平板２０に導かれる。
【００３３】
すると前記凝縮器２における前記細孔偏平板２０の細孔２１内に導かれた前記冷媒は、前記放熱フィン２２を介する大気への放熱作用を受けて冷却されて凝縮する。この際、前記冷媒の蒸気から液への相変化伝熱が行われる。ここで前記発熱体５の発熱量が少ない場合、前記凝縮器２おいて上述した如く凝縮して液相化した前記冷媒は、図２に模式的に示すように前記細孔偏平板２０の前記細孔２１の内壁面に沿って下降する。即ち、前記細孔２１内の温度分布により、前記蒸発器１にて蒸気化して比重が軽くなった前記冷媒は前記細孔２１の軸芯部を上昇し、前記凝縮器２にて液相化して比重が重くなった前記冷媒は前記細孔２１の内壁面に沿って下降する。
【００３４】
そして前記細孔２１内を下降した前記液相化した冷媒は前記連結ヘッダー３０を介して前記蒸発器１に戻り、該蒸発器１において前記発熱体５からの熱を受けて再び沸騰する。このような冷媒の前記蒸発器１での沸騰（蒸気化）と前記凝縮器２での凝縮（液相化）とが繰り返されることにより前記冷媒の循環サイクルが形成され、前記冷媒を介する前記発熱体５の冷却が行われる。
【００３５】
これに対して前記発熱体５の発熱量が多く、前述した飛散限界を超える場合には、前記凝縮器２おいて凝縮して前記細孔２１内を下降しようとする液相化した前記冷媒は、前記蒸発器１にて沸騰して前記凝縮器２に送り込まれて前記細孔２１内を上昇する蒸気化した大量の冷媒によって吹き戻される。すると前記液相化した前記冷媒は前記細孔２１内を下降することなく前記上部ヘッダー２３に送り込まれる。そして前記液相化した前記冷媒は、前記連結管４０内を下降して前記蒸発器１の下部ヘッダー１２に送りこまれて該蒸発器１に戻される。そして前記冷媒は前記蒸発器１において前記発熱体５からの熱を受けて再び沸騰する。
【００３６】
このような冷媒の前記蒸発器１での沸騰（蒸気化）と前記凝縮器２での凝縮（液相化）とが前記連結管４０を介して繰り返されることにより前記冷媒の循環サイクルが形成され、前記冷媒を介する前記発熱体５の冷却が行われる。従って前記飛散限界に起因して前記サーモサイフォン冷却装置２００の冷却能力が制限されることがなくなり、その冷却能力を十分に高くすることが可能となる。特に前記冷媒の相変化と上述した２種類の循環サイクルにより前記発熱体５からの熱を外気に効率的に放出することができるので、前記冷媒の沸騰および凝縮による高い熱伝達性能を効果的に利用して高発熱密度の熱移動を低温度差で行うことができる。よって冷却効率の高い前記サーモサイフォン冷却装置２００を簡易に実現することができる等の実用上多大なる効果が奏せられる。
【００３７】
また上述した如く前記蒸発器１と前記凝縮器２とを一体化して前記サーモサイフォン冷却装置２００を偏平な板状ブロック体として構築することができるので、例えば装置の組み立て作業の容易化を図って製造コストを低減すると共に、その小型化を図ることも容易である。更には電力変換器等への組み込み構造の簡易化を図ることができる等の効果が奏せられる。
【００３８】
尚、本発明は上述した実施形態に限定されるものではない。例えば前記凝縮器２における前記放熱フィン２２は、必ずしもコルゲートフィンでなくても良く、またそのフィンピッチについては前記凝縮器２に要求される冷却性能等に応じて設定すれば良い。また前記蒸発器１の大きさ、即ち、前記細孔管プレート１０の大きさや、該細孔管プレート１０が備える前記細孔１１の径、並びにその数は前記蒸発器１に装着される前記発熱体５の熱的仕様に応じて決定すれば良いものである。その他、本発明はその要旨を逸脱しない範囲で種々変形して実施することができる。
【符号の説明】
【００３９】
１  蒸発器
２  凝縮器（放熱器）
３,４  冷媒配管
５  発熱体
１０  細孔管プレート
１０ａ管体
１０ｂ  フィン
１１  細孔
１２  下部ヘッダー（入口ヘッダー）
１３  出口ヘッダー
２０  細孔偏平板
２１  細孔
２２  放熱フィン
２３  上部ヘッダー
２４  下部ヘッダー（出口ヘッダー）
３０  連結ヘッダー
４０  連結管
１００,２００  サーモサイフォン冷却装置
【図１】
2017112189.tif 000003
【図２】
2017112189.tif 000004
【図３】
2017112189.tif 000005
【図４】
2017112189.tif 000006
【図５】
2017112189.tif 000007